(57)【要約】【課題】  利用者が希望する認証方法で認証することができる電子機器および認証制御プログラムを提供する。【解決手段】  画像形成装置は、利用者が希望する認証方法としての希望認証方法を利用者毎に管理し、利用者が特定の距離以内に接近したか否かを判断し、利用者が特定の距離以内に接近したと判断すると、特定の距離以内に接近した利用者を特定し、特定した利用者の希望認証方法として管理している認証方法に切り替える（Ｓ１２８）ことを特徴とする。【選択図】  図６
2020160561.tif 000002
【特許請求の範囲】
【請求項１】
利用者が特定の距離以内に存在するか否かを判断する近傍利用者判断部と、
利用者の認証方法を切り替える認証方法切替部と、
利用者が希望する認証方法としての希望認証方法を利用者毎に管理する認証方法管理部と
を備え、
前記認証方法切替部は、前記近傍利用者判断部によって前記特定の距離以内に存在すると判断された利用者の前記希望認証方法として前記認証方法管理部によって管理されている認証方法に切り替えることを特徴とする電子機器。
【請求項２】
撮像デバイスを備え、
前記認証方法管理部は、前記希望認証方法が顔認証である場合の代替の認証方法としての代替認証方法を利用者毎に管理し、
前記認証方法切替部は、前記近傍利用者判断部によって前記特定の距離以内に存在すると判断された利用者の前記希望認証方法として前記認証方法管理部によって管理されている認証方法が顔認証である場合に、前記撮像デバイスによる撮影画像に含まれる顔を備える人物が、前記顔を覆う特定の物を装着していると、前記撮影画像に対する画像処理によって判断したとき、前記近傍利用者判断部によって前記特定の距離以内に存在すると判断された利用者の前記代替認証方法として前記認証方法管理部によって管理されている認証方法に切り替えることを特徴とする請求項１に記載の電子機器。
【請求項３】
利用者が特定の距離以内に存在するか否かを判断する近傍利用者判断部と、
利用者の認証方法を切り替える認証方法切替部と、
利用者が希望する認証方法としての希望認証方法を利用者毎に管理する認証方法管理部と
を電子機器に実現させ、
前記認証方法切替部は、前記近傍利用者判断部によって前記特定の距離以内に存在すると判断された利用者の前記希望認証方法として前記認証方法管理部によって管理されている認証方法に切り替えることを特徴とする認証制御プログラム。
【発明の詳細な説明】
【技術分野】
【０００１】
本発明は、利用者を認証する認証システムを備える電子機器および認証制御プログラムに関する。
【背景技術】
【０００２】
従来の電子機器として、利用者の認証が成功するまで、２種類以上の生体認証を順番に実行するものが知られている（例えば、特許文献１参照。）。
【先行技術文献】
【特許文献】
【０００３】
【特許文献１】特開２００４−２３４０４０号公報
【発明の概要】
【発明が解決しようとする課題】
【０００４】
しかしながら、従来の電子機器においては、利用者が希望する認証方法で認証することができるわけではないという問題がある。
【０００５】
そこで、本発明は、利用者が希望する認証方法で認証することができる電子機器および認証制御プログラムを提供することを目的とする。
【課題を解決するための手段】
【０００６】
本発明の電子機器は、利用者が特定の距離以内に存在するか否かを判断する近傍利用者判断部と、利用者の認証方法を切り替える認証方法切替部と、利用者が希望する認証方法としての希望認証方法を利用者毎に管理する認証方法管理部とを備え、前記認証方法切替部は、前記近傍利用者判断部によって前記特定の距離以内に存在すると判断された利用者の前記希望認証方法として前記認証方法管理部によって管理されている認証方法に切り替えることを特徴とする。
【０００７】
この構成により、本発明の電子機器は、特定の距離以内に存在する利用者の希望認証方法に認証方法を切り替えるので、利用者が希望する認証方法で認証することができる。
【０００８】
本発明の電子機器は、撮像デバイスを備え、前記認証方法管理部は、前記希望認証方法が顔認証である場合の代替の認証方法としての代替認証方法を利用者毎に管理し、前記認証方法切替部は、前記近傍利用者判断部によって前記特定の距離以内に存在すると判断された利用者の前記希望認証方法として前記認証方法管理部によって管理されている認証方法が顔認証である場合に、前記撮像デバイスによる撮影画像に含まれる顔を備える人物が、前記顔を覆う特定の物を装着していると、前記撮影画像に対する画像処理によって判断したとき、前記近傍利用者判断部によって前記特定の距離以内に存在すると判断された利用者の前記代替認証方法として前記認証方法管理部によって管理されている認証方法に切り替えても良い。
【０００９】
この構成により、本発明の電子機器は、特定の距離以内に存在する利用者の希望認証方法が顔認証である場合に、撮像デバイスによる撮影画像に含まれる顔を備える人物が、顔を覆う特定の物を装着していると、撮影画像に対する画像処理によって判断したとき、特定の距離以内に存在する利用者の代替認証方法に認証方法を切り替えるので、認証が失敗する可能性を低減することができる。
【００１０】
本発明の認証制御プログラムは、利用者が特定の距離以内に存在するか否かを判断する近傍利用者判断部と、利用者の認証方法を切り替える認証方法切替部と、利用者が希望する認証方法としての希望認証方法を利用者毎に管理する認証方法管理部とを電子機器に実現させ、前記認証方法切替部は、前記近傍利用者判断部によって前記特定の距離以内に存在すると判断された利用者の前記希望認証方法として前記認証方法管理部によって管理されている認証方法に切り替えることを特徴とする。
【００１１】
この構成により、本発明の認証制御プログラムを実行する電子機器は、特定の距離以内に存在する利用者の希望認証方法に認証方法を切り替えるので、利用者が希望する認証方法で認証することができる。
【発明の効果】
【００１２】
本発明の電子機器および認証制御プログラムは、利用者が希望する認証方法で認証することができる。
【図面の簡単な説明】
【００１３】
【図１】本発明の一実施の形態に係るシステムのブロック図である。
【図２】ＭＦＰである場合の、図１に示す画像形成装置のブロック図である。
【図３】図２に示す利用者登録情報の一例を示す図である。
【図４】認証方法の希望を受け付ける場合の、図２に示す画像形成装置の動作のフローチャートである。
【図５】利用者を認証する場合の、図２に示す画像形成装置の動作の一部のフローチャートである。
【図６】図５に示すフローチャートの続きのフローチャートである。
【発明を実施するための形態】
【００１４】
以下、本発明の実施の形態について、図面を用いて説明する。
【００１５】
まず、本発明の一実施の形態に係るシステムの構成について説明する。
【００１６】
図１は、本実施の形態に係るシステム１０のブロック図である。
【００１７】
図１に示すように、システム１０は、電子機器としての画像形成装置２０を備えている。画像形成装置２０は、例えば、ＭＦＰ（Ｍｕｌｔｉｆｕｎｃｔｉｏｎ  Ｐｅｒｉｐｈｅｒａｌ）、プリンター専用機などによって構成されている。
【００１８】
システム１０は、利用者が携帯する携帯端末４０を備えている。携帯端末４０は、例えばスマートフォンなどによって構成されている。システム１０は、携帯端末４０以外にも、携帯端末４０と同様の構成の携帯端末を少なくとも１つ備えることが可能である。システム１０における携帯端末は、この携帯端末自身を携帯する利用者の識別情報（以下「利用者ＩＤ」という。）を含むビーコンを送信可能である。
【００１９】
図２は、ＭＦＰである場合の画像形成装置２０のブロック図である。
【００２０】
図２に示すように、画像形成装置２０は、種々の操作が入力される例えばボタンなどの入力デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、用紙などの記録媒体に画像を印刷する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部２６と、例えばＵＳＢ（Ｕｎｉｖｅｒｓａｌ  Ｓｅｒｉａｌ  Ｂｕｓ）メモリーなどの外部記憶媒体と接続するための、例えばＵＳＢソケットなどのインターフェイス２７と、ビーコンを受信するビーコン受信部２８と、ＩＣ（Ｉｎｔｅｇｒａｔｅｄ  Ｃｉｒｃｕｉｔ）カードから情報を取得するＩＣカードリーダー２９と、撮像デバイスであるカメラ３０と、利用者の指紋を読み取る指紋認証リーダー３１と、各種の情報を記憶する例えば半導体メモリー、ＨＤＤ（Ｈａｒｄ  Ｄｉｓｋ  Ｄｒｉｖｅ）などの不揮発性の記憶デバイスである記憶部３２と、画像形成装置２０全体を制御する制御部３３とを備えている。
【００２１】
記憶部３２は、利用者を認証するための認証プログラム３２ａと、利用者の認証を制御する認証制御プログラム３２ｂとを記憶可能である。認証プログラム３２ａおよび認証制御プログラム３２ｂは、それぞれ、例えば、画像形成装置２０の製造段階で画像形成装置２０にインストールされていても良いし、ＵＳＢメモリーなどの外部記憶媒体から画像形成装置２０に追加でインストールされても良いし、ネットワーク上から画像形成装置２０に追加でインストールされても良い。
【００２２】
記憶部３２は、後述の認証システム３３ａに登録されている利用者を示す利用者登録情報３２ｃを記憶可能である。
【００２３】
図３は、利用者登録情報３２ｃの一例を示す図である。
【００２４】
図３に示すように、利用者登録情報３２ｃは、利用者の利用者ＩＤと、利用者が希望する認証方法（以下「希望認証方法」という。）と、希望認証方法が顔認証である場合の代替の認証方法（以下「代替認証方法」という。）とを関連付けて記憶している。例えば、画像形成装置２０において利用可能な認証方法としては、利用者名およびパスワードの組み合わせによるパスワード認証と、ＩＣカードによるＩＣカード認証と、顔認証と、指紋認証とが存在する。
【００２５】
図２に示す制御部３３は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部３３のＣＰＵの作業領域として用いられる揮発性の記憶デバイスとしてのメモリーであるＲＡＭ（Ｒａｎｄｏｍ  Ａｃｃｅｓｓ  Ｍｅｍｏｒｙ）とを備えている。制御部３３のＣＰＵは、記憶部３２または制御部３３のＲＯＭに記憶されているプログラムを実行する。
【００２６】
制御部３３は、認証プログラム３２ａを実行することによって、利用者を認証する認証システム３３ａを実現する。認証システム３３ａは、操作部２１または通信部２６を介した指示に応じて、利用者を登録したり、利用者の登録を解除したりすることが可能であり、利用者を登録したり、利用者の登録を解除したりした場合に、利用者の登録状況を利用者登録情報３２ｃに反映する。
【００２７】
制御部３３は、認証制御プログラム３２ｂを実行することによって、利用者が特定の距離以内に存在するか否かを判断する近傍利用者判断部３３ｂと、利用者の認証方法を切り替える認証方法切替部３３ｃと、利用者毎に認証方法を管理する認証方法管理部３３ｄとを実現する。
【００２８】
次に、画像形成装置２０の動作について説明する。
【００２９】
まず、認証方法の希望を受け付ける場合の画像形成装置２０の動作について説明する。
【００３０】
図４は、認証方法の希望を受け付ける場合の画像形成装置２０の動作のフローチャートである。
【００３１】
認証方法管理部３３ｄは、利用者が認証システム３３ａにログイン済みである場合に、希望認証方法の登録の処理の開始の指示を操作部２１を介して受けると、図４に示す動作を実行する。
【００３２】
図４に示すように、認証方法管理部３３ｄは、希望認証方法の入力を受け付けるための画面を表示部２２に表示する（Ｓ１０１）。したがって、利用者は、操作部２１を介して希望認証方法としての認証方法を入力することができるようになる。
【００３３】
認証方法管理部３３ｄは、Ｓ１０１の処理が終了すると、操作部２１を介して認証方法が入力されたと判断するまで、操作部２１を介して認証方法が入力されたか否かを判断する（Ｓ１０２）。
【００３４】
認証方法管理部３３ｄは、操作部２１を介して認証方法が入力されたとＳ１０２において判断すると、操作部２１を介して入力された認証方法を、希望認証方法として、利用者の利用者ＩＤに関連付けて利用者登録情報３２ｃに記憶する（Ｓ１０３）。
【００３５】
認証方法管理部３３ｄは、Ｓ１０３の処理の後、Ｓ１０３において記憶した希望認証方法が顔認証であるか否かを判断する（Ｓ１０４）。
【００３６】
認証方法管理部３３ｄは、顔認証であるとＳ１０４において判断すると、代替認証方法の入力を受け付けるための画面を表示部２２に表示する（Ｓ１０５）。したがって、利用者は、操作部２１を介して代替認証方法としての認証方法を入力することができるようになる。
【００３７】
認証方法管理部３３ｄは、Ｓ１０５の処理が終了すると、操作部２１を介して認証方法が入力されたと判断するまで、操作部２１を介して認証方法が入力されたか否かを判断する（Ｓ１０６）。
【００３８】
認証方法管理部３３ｄは、操作部２１を介して認証方法が入力されたとＳ１０６において判断すると、操作部２１を介して入力された認証方法を、代替認証方法として、利用者の利用者ＩＤに関連付けて利用者登録情報３２ｃに記憶する（Ｓ１０７）。
【００３９】
認証方法管理部３３ｄは、顔認証ではないとＳ１０４において判断するか、Ｓ１０７の処理が終了すると、図４に示す動作を終了する。
【００４０】
なお、図４に示す動作は、認証システム３３ａに利用者が登録される際に、認証システム３３ａへの利用者の登録作業を実行する作業者によって、認証システム３３ａに登録される利用者に関して実行されても良い。
【００４１】
次に、利用者を認証する場合の画像形成装置２０の動作について説明する。
【００４２】
図５および図６は、利用者を認証する場合の画像形成装置２０の動作のフローチャートである。
【００４３】
図５および図６に示すように、近傍利用者判断部３３ｂは、利用者が特定の距離以内に接近したと判断するまで、利用者が特定の距離以内に接近したか否かを判断する（Ｓ１２１）。ここで、近傍利用者判断部３３ｂは、利用者が特定の距離以内に接近したか否かを、利用者によって携帯されている携帯端末によって送信されてビーコン受信部２８によって受信するビーコンに基づいて判断することが可能である。
【００４４】
近傍利用者判断部３３ｂは、利用者が特定の距離以内に接近したとＳ１２１において判断すると、特定の距離以内に接近した利用者を特定する（Ｓ１２２）。ここで、近傍利用者判断部３３ｂは、利用者によって携帯されている携帯端末によって送信されてビーコン受信部２８によって受信したビーコンに含まれる利用者ＩＤによって利用者を特定することが可能である。
【００４５】
認証方法切替部３３ｃは、Ｓ１２２の処理の後、Ｓ１２２において特定された利用者が認証システム３３ａに登録されているか否かを利用者登録情報３２ｃに基づいて判断する（Ｓ１２３）。
【００４６】
近傍利用者判断部３３ｂは、認証システム３３ａに登録されていないとＳ１２３において判断されると、Ｓ１２１の処理を実行する。
【００４７】
認証方法切替部３３ｃは、認証システム３３ａに登録されているとＳ１２３において判断すると、Ｓ１２２において特定された利用者の利用者ＩＤに利用者登録情報３２ｃにおいて関連付けられている希望認証方法を特定する（Ｓ１２４）。
【００４８】
認証方法切替部３３ｃは、Ｓ１２４の処理の後、Ｓ１２４において特定した希望認証方法が顔認証であるか否かを判断する（Ｓ１２５）。
【００４９】
認証方法切替部３３ｃは、顔認証であるとＳ１２５において判断すると、カメラ３０による撮影画像に顔が含まれると判断するまで、撮影画像に顔が含まれるか否かを、撮影画像に対する画像処理によって判断する（Ｓ１２６）。
【００５０】
認証方法切替部３３ｃは、撮影画像に顔が含まれるとＳ１２６において判断すると、撮影画像に含まれる顔を備える人物が、例えばマスクやサングラスなど、顔を覆う特定の物を装着しているか否かを、撮影画像に対する画像処理によって判断する（Ｓ１２７）。
【００５１】
認証方法切替部３３ｃは、顔認証ではないとＳ１２５において判断するか、顔を覆う特定の物を装着していないとＳ１２７において判断すると、Ｓ１２４において特定した希望認証方法による認証を認証システム３３ａに指示する（Ｓ１２８）。例えば、認証方法切替部３３ｃは、希望認証方法がパスワード認証である場合には、操作部２１を介して入力された利用者名およびパスワードの組み合わせによる認証を認証システム３３ａに指示する。また、認証方法切替部３３ｃは、希望認証方法がＩＣカード認証である場合には、ＩＣカードリーダー２９によってＩＣカードから取得された情報による認証を認証システム３３ａに指示する。また、認証方法切替部３３ｃは、希望認証方法が顔認証である場合には、撮影画像に含まれる顔画像による認証を認証システム３３ａに指示する。また、認証方法切替部３３ｃは、希望認証方法が指紋認証である場合には、指紋認証リーダー３１によって読み取られた指紋による認証を認証システム３３ａに指示する。
【００５２】
認証方法切替部３３ｃは、顔を覆う特定の物を装着しているとＳ１２７において判断すると、Ｓ１２２において特定された利用者の利用者ＩＤに利用者登録情報３２ｃにおいて関連付けられている代替認証方法を特定する（Ｓ１２９）。
【００５３】
次いで、認証方法切替部３３ｃは、Ｓ１２９において特定した代替認証方法による認証を認証システム３３ａに指示する（Ｓ１３０）。例えば、認証方法切替部３３ｃは、代替認証方法がパスワード認証である場合には、操作部２１を介して入力された利用者名およびパスワードの組み合わせによる認証を認証システム３３ａに指示する。また、認証方法切替部３３ｃは、代替認証方法がＩＣカード認証である場合には、ＩＣカードリーダー２９によってＩＣカードから取得された情報による認証を認証システム３３ａに指示する。また、認証方法切替部３３ｃは、代替認証方法が指紋認証である場合には、指紋認証リーダー３１によって読み取られた指紋による認証を認証システム３３ａに指示する。
【００５４】
認証方法切替部３３ｃは、Ｓ１２８またはＳ１３０の処理の後、利用者が認証システム３３ａにログインしたか否かを判断する（Ｓ１３１）。
【００５５】
近傍利用者判断部３３ｂは、利用者が認証システム３３ａにログインしていないとＳ１３１において判断されると、Ｓ１２２において特定した利用者が特定の距離より離れたか否かを判断する（Ｓ１３２）。ここで、近傍利用者判断部３３ｂは、Ｓ１２２において特定した利用者が特定の距離より離れたか否かを、利用者によって携帯されている携帯端末によって送信されてビーコン受信部２８によって受信するビーコンに基づいて判断することが可能である。
【００５６】
認証方法切替部３３ｃは、Ｓ１２２において特定した利用者が特定の距離より離れていないとＳ１３２において判断されると、Ｓ１３１の処理を実行する。
【００５７】
近傍利用者判断部３３ｂは、Ｓ１２２において特定した利用者が特定の距離より離れてたとＳ１３２において判断すると、Ｓ１２１の処理を実行する。
【００５８】
認証方法切替部３３ｃは、利用者が認証システム３３ａにログインしたとＳ１３１において判断すると、利用者が認証システム３３ａからログアウトしたか否かを判断する（Ｓ１３３）。
【００５９】
近傍利用者判断部３３ｂは、利用者が認証システム３３ａからログアウトしたとＳ１３３において判断されると、Ｓ１２１の処理を実行する。
【００６０】
近傍利用者判断部３３ｂは、利用者が認証システム３３ａからログアウトしていないとＳ１３３において判断されると、Ｓ１２２において特定した利用者が特定の距離より離れたか否かを判断する（Ｓ１３４）。ここで、近傍利用者判断部３３ｂは、Ｓ１２２において特定した利用者が特定の距離より離れたか否かを、利用者によって携帯されている携帯端末によって送信されてビーコン受信部２８によって受信するビーコンに基づいて判断することが可能である。
【００６１】
認証方法切替部３３ｃは、Ｓ１２２において特定した利用者が特定の距離より離れていないとＳ１３４において判断されると、Ｓ１３３の処理を実行する。
【００６２】
近傍利用者判断部３３ｂは、Ｓ１２２において特定した利用者が特定の距離より離れたとＳ１３４において判断すると、認証システム３３ａに利用者をログアウトさせて（Ｓ１３５）、Ｓ１２１の処理を実行する。
【００６３】
以上に説明したように、画像形成装置２０は、特定の距離以内に存在する利用者の希望認証方法に認証方法を切り替える（Ｓ１２８）ので、利用者が希望する認証方法で認証することができる。
【００６４】
顔認証は、カメラ３０による撮影画像に含まれる顔を備える人物が、顔を覆う特定の物を装着している場合に、失敗する。しかしながら、画像形成装置２０は、特定の距離以内に存在する利用者の希望認証方法が顔認証である場合（Ｓ１２５でＹＥＳ）に、カメラ３０による撮影画像に含まれる顔を備える人物が、顔を覆う特定の物を装着していると、撮影画像に対する画像処理によって判断したとき（Ｓ１２７でＹＥＳ）、特定の距離以内に存在する利用者の代替認証方法に認証方法を切り替える（Ｓ１３０）ので、認証が失敗する可能性を低減することができる。
【００６５】
画像形成装置２０は、本実施の形態において、認証方法として、パスワード認証、ＩＣカード認証、顔認証および指紋認証を提供する。しかしながら、画像形成装置２０は、パスワード認証、ＩＣカード認証、顔認証および指紋認証に加えて、または、パスワード認証、ＩＣカード認証、顔認証および指紋認証の少なくとも１つに代えて、他の認証方法を提供しても良い。
【００６６】
画像形成装置２０は、本実施の形態において、利用者によって携帯される携帯端末によって送信されるビーコンを利用することによって、画像形成装置２０自身と、利用者との距離を取得する。しかしながら、画像形成装置２０は、利用者によって携帯される携帯端末によって送信されるビーコンを利用する方法以外の方法によって、画像形成装置２０自身と、利用者との距離を取得しても良い。
【００６７】
本発明の電子機器は、本実施の形態において画像形成装置であるが、例えばＰＣ（Ｐｅｒｓｏｎａｌ  Ｃｏｍｐｕｔｅｒ）など、画像形成装置以外の電子機器でも良い。
【符号の説明】
【００６８】
２０  画像形成装置（電子機器）
３０  カメラ（撮像デバイス）
３２ｂ  認証制御プログラム
３３ｂ  近傍利用者判断部
３３ｃ  認証方法切替部
３３ｄ  認証方法管理部
【図１】
2020160561.tif 000003
【図２】
2020160561.tif 000004
【図３】
2020160561.tif 000005
【図４】
2020160561.tif 000006
【図５】
2020160561.tif 000007
【図６】
2020160561.tif 000008